(57)【要約】【課題】厳しい寒冷環境に晒される非常時であっても、反応熱と共に保温性を確保でき凍傷又は低体温症になる危険性を回避できるようにすること。【解決手段】人体の所定部位の形状に沿って変形可能な柔軟な第１シート部１と、第１シート部１の外側に配置されると共に、第１シート部１との間で発泡ポリウレタン樹脂を保持可能な柔軟な第２シート部２と、第１シート部１と第２シート部２との間に、熱反応で迅速発泡硬化される発泡ポリウレタン樹脂を形成するための第１及び第２原料３，４と、第１及び第２原料３，４を混合及び撹拌するための混合部６と、を備える。【選択図】図１
2017150121.tif 000002
【特許請求の範囲】
【請求項１】
人体の所定部位に装着される防寒防災具であって、
前記人体の所定部位の形状に沿って変形可能な柔軟な第１シート部と、
前記第１シート部の外側に配置されると共に、前記第１シート部との間で発泡ポリウレタン樹脂を保持可能な柔軟な第２シート部と、
前記第１シート部と前記第２シート部との間に、熱反応で迅速発泡硬化される前記発泡ポリウレタン樹脂を形成するための液体状又は粉末状の第１及び第２原料と、
前記第１及び第２原料を混合及び撹拌するための混合部と、を備える
ことを特徴とする防寒防災具。
【請求項２】
前記第１シート部は、前記第１及び第２原料が前記人体に透過しない材料からなる
ことを特徴とする請求項１に記載の防寒防災具。
【請求項３】
前記第１シート部は、手袋型、靴型又はジャケット型に形成されている
ことを特徴とする請求項１又は２に記載の防寒防災具。
【請求項４】
前記第２シート部は、前記第１シート部の伸び率よりも大きな伸び率を有する材料からなる
ことを特徴とする請求項１〜３のいずれかに記載の防寒防災具。
【請求項５】
前記第２シート部は、外側からの水が透過しない材料からなる
ことを特徴とする請求項１〜４のいずれかに記載の防寒防災具。
【請求項６】
さらに、前記第１及び第２原料をそれぞれ分割して収納するための注入器を備え、
前記注入器は、前記第２シート部の外側に設けられると共に、前記第２シート部の注入口に接続され、
前記混合部は、前記注入器の出口と前記第２シート部の注入口との間に設けられる
ことを特徴とする請求項１〜５のいずれかに記載の防寒防災具。
【請求項７】
さらに、前記第１及び第２原料をそれぞれ分割して収納するための第１及び第２収納部を備え、
前記第１及び第２収納部は、前記第１シート部と第２シート部との間に設けられ、
前記混合部は、前記第１収納部と前記第２収納部との間に設けられる
ことを特徴とする請求項１〜５のいずれかに記載の防寒防災具。
【発明の詳細な説明】
【技術分野】
【０００１】
本発明は、寒冷地での遭難時などの非常時に使用される防寒防災具に関する。
【背景技術】
【０００２】
寒冷地における事故及び災害に遭遇した際に使用される防寒耐水服がある（例えば特許文献１）。この防寒耐水服は、内層材が発泡樹脂シートと不織状繊維層の三層構造を有しているので、寒冷期の海上で長時間浮遊し、十分な空気層を保持できると共に、体温を維持できる。
【０００３】
また、冬期の屋外や業務用の冷凍室のような寒冷環境で使用される防寒手袋がある（例えば特許文献２）。この防寒手袋は、外手袋と内手袋とを手に装着でき、外手袋の生地は、ナイロンとポリウレタンとの混合繊維の織物などで構成される。
【０００４】
上記の防寒耐水服及び防寒手袋は、発泡樹脂やポリウレタンなどが使用されているので、防寒性に優れている。しかし、冬期の登山で遭難するなどの非常時では、上記の防寒耐水服及び防寒手袋で想定されるよりも厳しい寒冷環境に晒されることがあるので、保温性を確保できず凍傷又は低体温症にかかる等の問題がある。
【先行技術文献】
【特許文献】
【０００５】
【特許文献１】特開平６−３２２８２号公報
【特許文献２】特許第５５６９９６１号公報
【発明の概要】
【発明が解決しようとする課題】
【０００６】
そこで、本発明が解決しようとする課題は、厳しい寒冷環境に晒される非常時であっても、反応熱と共に保温性を確保でき凍傷又は低体温症になる危険性を回避できる防寒防災具を提供することにある。
【課題を解決するための手段】
【０００７】
上記の課題を解決するために、本発明に係る防寒防災具は、
人体の所定部位に装着される防寒防災具であって、
人体の所定部位の形状に沿って変形可能な柔軟な第１シート部と、
第１シート部の外側に配置されると共に、第１シート部との間で発泡ポリウレタン樹脂を保持可能な柔軟な第２シート部と、
第１シート部と第２シート部との間に、熱反応で迅速発泡硬化される発泡ポリウレタン樹脂を形成するための液体状又は粉末状の第１及び第２原料と、
第１及び第２原料を混合及び撹拌するための混合部と、を備える。
【０００８】
好ましくは、
第１シート部は、第１及び第２原料が人体に透過しない材料からなる。
【０００９】
好ましくは、
第１シート部は、手袋型、靴型又はジャケット型に形成されている。
【００１０】
好ましくは、
第２シート部は、第１シート部の伸び率よりも大きな伸び率を有する材料からなる。
【００１１】
好ましくは、
第２シート部は、外側からの水が透過しない材料からなる。
【００１２】
好ましくは、
さらに、第１及び第２原料をそれぞれ分割して収納するための注入器を備え、
注入器は、第２シート部の外側に設けられると共に、第２シート部の注入口に接続され、
混合部は、注入器の出口と第２シート部の注入口との間に設けられる。
【００１３】
好ましくは、
さらに、第１及び第２原料をそれぞれ分割して収納するための第１及び第２収納部を備え、
第１及び第２収納部は、第１シート部と第２シート部との間に設けられ、
混合部は、第１収納部と第２収納部との間に設けられる。
【発明の効果】
【００１４】
本発明は、人体の所定部位に装着される防寒防災具であって、厳しい寒冷環境に晒される非常時であっても、反応熱と共に保温性を確保できるので、所定部位が凍傷又は低体温症になる危険性を回避できる
【図面の簡単な説明】
【００１５】
【図１】第１実施形態の防寒防災具の構成を示す断面図。
【図２】手袋型の防寒防災具を手に装着した状態を示す斜視図。
【図３】図２の断面図。
【図４】第２実施形態の防寒防災具の構成を示す断面図。
【発明を実施するための形態】
【００１６】
以下、図面に基づいて、本発明に係る防寒防災具の実施形態を説明する。
【００１７】
[第１実施形態]
図１の通り、第１実施形態の防寒防災具は、袋状の第１シート部１と第２シート部２とを備える。第１シート部１は、人体の所定部位に装着され、所定部位の形状に沿って変形可能な柔軟な材料からなる。第２シート部２は、第１シート部１の外側に配置される柔軟な材料からなる。第１シート部１の端部と第２シート部２の端部とは、ヒートシール等で密着される。
【００１８】
防寒防災具は、第１原料３と第２原料４とが混合しないように分離して収納するための注入器５を備える。第１原料３は、液体状のポリオールを主剤とする一方、第２原料４は、液体状のイソシアネートを主剤とする。注入器５は、第１原料３及び第２原料４を高圧で噴出するように構成される。注入器５は、出口に混合部６が接続される。混合部６は、注入器５の出口から噴出される第１原料３及び第２原料４を混合及び撹拌する。
【００１９】
混合部６は、第１混合部６０と第２混合部６１とからなる。混合部６は、注入器５からの第１原料３及び第２原料４が第１混合部６０を通過した後に第２混合部６１を通過するように配置される。第１混合部６０は、注入器５からの第１原料３及び第２原料４を混合する。第２混合部６１は、第１混合部６０で混合された第１原料３及び第２原料４を撹拌する。
【００２０】
第２混合部６１は、第１原料３及び第２原料４が互いに衝突して反応熱が生じるように撹拌するために、内部が螺線形状や階段形状等で構成される。第２混合部６１は、第２シート部２の注入口２０に接続される。そのため、混合部６で混合及び撹拌された第１原料３及び第２原料４は、第１シート部１と第２シート部２との間に充填される。
【００２１】
第１シート部１と第２シート部２との間に充填された第１原料３及び第２原料４が、人体の所定部位に悪影響を及ぼさないように、第１シート部１は、第１原料３及び第２原料４を人体の所定部位に透過しない材料からなる。
【００２２】
第１シート部１と第２シート部２との間に充填された第１原料３及び第２原料４は、熱反応で迅速発泡硬化されて、発泡ポリウレタン樹脂７となる。第１原料３及び第２原料４が発泡硬化するとき、発泡ポリウレタン樹脂７の体積が膨張する（例えば、約３０倍の発泡倍率）。第２シート部２は、第１シート部３の伸び率よりも大きな伸び率を有する材料からなる。これにより、発泡ポリウレタン樹脂７は、第１シート部１ではなく第２シート部２の方向に大きく膨張するので、人体の所定部位が圧迫されない。なお、発泡ポリウレタン樹脂７は、第１シート部１の方向にも小さく膨張するので、第１シート部１が人体の所定部位に沿ってぴったり密着する。
【００２３】
発砲ポリウレタン樹脂７は、反応熱により５０〜６０℃の温度で長時間維持される。発泡ポリウレタン樹脂７は、独立気泡を有するので、断熱性が高いという特性を有する。第１シート部１は、熱伝導性の高い材料からなる。そのため、第１シート部１を介して、発泡ポリウレタン樹脂７の反応熱を人体に伝達できる。
【００２４】
さらに、第２シート部２は、外部からの水が透過しない材料からなる。そして、発泡ポリウレタン樹脂７は、撥水性が高いという特性を有する。そのため、外部からの水を吸水することがなく、さらに、人体からの汗を吸湿することがないので、人体の体温低下を抑制できる。
【００２５】
従って、本発明の防寒防災具は、発泡ポリウレタン樹脂７の熱を人体の所定部位に伝達できると共に、発泡ポリウレタン樹脂７の断熱性で人体の所定部位を保温できる。さらに、防寒防災具は、外部からの雪や海水などの水の侵入を防止できるので、水による人体の所定部位の体温低下を抑制できる。
【００２６】
図２及び図３に基づいて、手袋型の防寒防災具の実施形態を説明する。なお、重複説明を避けるため、上記実施形態と同一構成の説明は省略する。
【００２７】
防寒防災具は、手袋状の第１シート部１を備える。第１シート部１の外側に、手袋状の第２シート部２が設けられる。第２シート部２の外側には、注入器５が設けられ、注入器５に第１原料３及び第２原料４が収納される。そして、例えば、使用者が冬期の登山で遭難したときに、防寒防災具を人体の手に装着して、注入器５から第１原料３及び第２原料４を噴出する。
【００２８】
注入器５から噴出される第１原料３及び第２原料４は、混合部６を通じて混合及び撹拌されながら、第１シート部１と第２シート部２との間に充填される。第１シート部１と第２シート部２との間に充填された第１原料３及び第２原料４は、熱反応で迅速発泡硬化されて、発泡ポリウレタン樹脂７となる。発泡ポリウレタン樹脂７の膨張により、第１シート部１が人体の所定部位に沿ってぴったり密着する。
【００２９】
[第２実施形態]
図４に基づいて、第２実施形態の防寒防災具を説明する。なお、重複説明を避けるため、上記実施形態と同一構成の説明は省略する。
【００３０】
防寒防災具は、袋状の第１シート部１を備える。第１シート部１の外側に、袋状の第２シート部２が設けられる。本実施形態の防寒防災具は、第１シート部１と第２シート部２との間の両端側に、第１原料３を収納するための第１収納部８と、第２原料４を収納するための第２収納部９と、を備える。第１収納部８及び第２収納部９は、第１及び第２シート部１，２の間に設けられた隔壁８０，９０を備え、第１及び第２シート部１，２と隔壁８０，９０とで第１及び第２原料３，４を収納する。隔壁８０，９０は、強い衝撃によって破れるように構成される。
【００３１】
防寒防災具は、第１シート部１と第２シート部２との間で、かつ、第１収納部８と第２収納部９との間にわたって、混合部１０を備える。混合部１０は、第１シート部１と第２シート部２との内側に突設された複数のゴム部材、糸部材、樹脂部材等からなる。また、混合部１０は、合成繊維等で形成されたネット部材でもよい。
【００３２】
そして、例えば使用者が冬期の登山で遭難したときに、防寒防災具を装着して、第１収納部８及び第２収納部９に強い衝撃を加えて隔壁８０，９０を破り、第１原料３及び第２原料４が混合部１０を通じて混合及び撹拌されながら、第１シート部１と第２シート部２との間に充填される。
【００３３】
第１シート部１と第２シート部２との間に充填された第１原料３及び第２原料４は、熱反応で迅速発泡硬化されて、発泡ポリウレタン樹脂７となる。発泡ポリウレタン樹脂７の膨張により、第１シート部１が人体の所定部位にぴったり密着する。
【００３４】
以上、本発明の好ましい実施形態を説明したが、本発明の構成はこれらの実施形態に限定されるものではない。
【００３５】
上記実施形態では、第１原料３及び第２原料４は、双方共に液体状であるが、いずれか一方又は双方が粉末状でもよい。特に、第２実施形態において、第１原料３が液体状とし、第２原料４が粉末状とする場合、防寒防災具の全体を揉むことで、混合部１０で双方を効果的に混合及び撹拌できる。
【００３６】
例えば、上記実施形態の防寒防災具は手袋型であるが、靴型やジャケット型等の様々な形態に適用できる。なお、一般的な防寒服では、人体の手や足などの先端部に保温材が配置されない場合や、保温材の厚みが薄い場合が多いので、非常時では、人体の先端部の凍傷が生じやすい。そのため、非常時に、人体の先端部の凍傷又は低体温症を防止するために、手袋型、靴型又はジャケット型の防寒防災具が好ましい。
【符号の説明】
【００３７】
１  第１シート部
２  第２シート部
２０  第２シート部の注入口
３  第１原料
４  第２原料
５  注入器
６，１０  混合部
６０  第１混合部
６１  第２混合部
８  第１収納部
９  第２収納部
【図１】
2017150121.tif 000003
【図２】
2017150121.tif 000004
【図３】
2017150121.tif 000005
【図４】
2017150121.tif 000006